Podtech/llm-jp-corpus-v4-ja_patent huggingface dataset:
【手続補正書】
【提出日】平成31年2月1日(2019.2.1)
【手続補正１】
【補正対象書類名】特許請求の範囲
【補正対象項目名】請求項７
【補正方法】変更
【補正の内容】
【請求項７】
前記始動段階の開始時又はその付近において、前記周期における前記チョッピングされる部分は、前記周期又は前記周期と関連するパルスの９０〜５０％である、請求項１〜６のいずれか一項に記載の飲料又は食品調製マシン。
【手続補正２】
【補正対象書類名】明細書
【補正対象項目名】００４０
【補正方法】変更
【補正の内容】
【００４０】
調製マシン４は、一般的に、調理台上で使用するための大きさである（すなわち、長さ、幅、及び高さが７０ｃｍ未満）。調製マシン４は、その第１レベルに、ハウジング１０と、コンポーネント取り扱いユニット１４と、制御システム１６とを備え、これらは順次記載される。
【手続補正３】
【補正対象書類名】明細書
【補正対象項目名】００４１
【補正方法】変更
【補正の内容】
【００４１】
ハウジング
ハウジング１０は、上記マシンの第１レベルの構成要素を格納及び支持し、調製マシン４の第２レベルに、水平に配置された支持面に当接するための基部１７、及び他の第１レベルの構成要素をそこに取り付けるための本体１８を備える。
【手続補正４】
【補正対象書類名】明細書
【補正対象項目名】００４２
【補正方法】変更
【補正の内容】
【００４２】
コンポーネント取り扱いユニット
特定の実施形態に応じて、コンポーネント取り扱いユニット１４は、パケット又はカプセルである一回使用用の使い捨て容器６と、エンドユーザがそこから摂取するための受器である容器６と、これらの組み合わせに構成された原材料を取り扱うことによって、食品／飲料を調製するように動作可能である。それぞれの構成の実施形態について以下に論じる。
【手続補正５】
【補正対象書類名】明細書
【補正対象項目名】００４９
【補正方法】変更
【補正の内容】
【００４９】
抽出ユニット２６は、流体を、例えば、２０バールまでの圧力などの圧力下でカプセル６のキャビティ内へ注入することによって動作することができ、この圧力は、注入ヘッド及びポンプ２２によって達成することができる。調製ユニットは、あるいは、参照により本明細書に組み込まれる欧州特許第２５９４１７１（Ａ１）号で開示されるような、遠心分離によって動作することもできる。
【手続補正６】
【補正対象書類名】明細書
【補正対象項目名】００６０
【補正方法】変更
【補正の内容】
【００６０】
ユーザインターフェース３６は、エンドユーザがプロセッサ３８とインターフェースすることを可能にするハードウェアを備え、したがって、それに動作可能に接続されている。より具体的には、ユーザインターフェースは、ユーザからのコマンドを受信し、ユーザインターフェース信号が、上記コマンドをプロセッサ３８に入力として送信する。コマンドは、例えば、調製プロセスを実行するための命令であり得る。ユーザインターフェース３６のハードウェアは、任意の好適な装置（１つ以上）を含み得るものであり、例えば、このハードウェアは、ジョイスティックボタン又は押しボタンなどのボタン、ジョイスティック、ＬＥＤ、グラフィックＬＤＣ又はキャラクタＬＤＣ、タッチ感知ボタン及び／又はスクリーンエッジボタンを備えるグラフィカルスクリーンのうちの、１つ以上を含む。
【手続補正７】
【補正対象書類名】明細書
【補正対象項目名】００６２
【補正方法】変更
【補正の内容】
【００６２】
プロセッサ３８は一般に、入力、すなわち、ユーザインターフェース３６及び／又はセンサ４０から上記コマンドを受信し、メモリユニットに保存されたプログラムコード（又は、プログラムされた論理）にしたがって入力を処理し、出力を提供するように動作可能であり、これは、一般的には上記調製プロセスである。このプロセスは、開ループ制御を用いて、又はより好ましくはセンサ４０からの入力信号をフィードバックとして使用する閉ループ制御を用いて実行され得る。プロセッサ３８は、一般的には、マイクロプロセッサ、又はマイクロコントローラなどの集積回路として配置されたメモリ、入力及び出力システム構成要素を備える。プロセッサ３８は、他の好適な集積回路、例えば、ＡＳＩＣ、ＦＰＧＡなどのプログラム可能な論理装置、コントローラなどのアナログ集積回路などの、他の好適な集積回路を含み得る。また、プロセッサ３８はまた、上述の集積回路（すなわち、多数のプロセッサ）のうちの１つ以上を含んでもよい。プロセッサ３８は、一般的に、プログラムコード及び任意選択のデータを記憶するためのメモリユニット４６を備える。メモリユニット４６は典型的には、不揮発性メモリ、例えば、プログラムコード及び動作パラメータを保存するためのＥＰＲＯＭ、ＥＥＰＲＯＭ、又はＦｌａｓｈと、データ保存のための揮発性メモリ（ＲＡＭ）とを備える。メモリユニットは、別個の及び／又は（例えば、プロセッサのダイ上に）集積されたメモリを備えることができる。
【手続補正８】
【補正対象書類名】明細書
【補正対象項目名】００７５
【補正方法】変更
【補正の内容】
【００７５】
２  飲料又は食品調製システム
４  飲料又は食品調製マシン
１０  ハウジング
１７  基部
１８  本体
１４  コンポーネント取り扱いユニット
１２  流体供給部
２０  リザーバ
２２  流体ポンプ
２４  流体熱交換器
２６  抽出ユニット
２８  注入ヘッド
３０  カプセルホルダ
３２  カプセルホルダ装填システム
３４Ａ  カプセル挿入チャネル
３４Ｂ  カプセル排出チャネル
１６  制御システム
３６  ユーザインターフェース
３８  プロセッサ
４６  メモリユニット
４０  センサ
４２  電源
４４  通信インターフェース
６  容器（カプセル／受器／パケット）
【手続補正９】
【補正対象書類名】図面
【補正対象項目名】図１
【補正方法】変更
【補正の内容】
【図１】
2018525051.tif 000001
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
単一薬剤または多薬剤を患者に送達する注入セットであって、
ベースセットを有し、
前記ベースセットは、
第１のポートと、第１の接着部と、第１の薬剤を前記患者に送達する第１の穿刺要素とを有する第１のベースユニットであって、前記第１の接着部が前記第１のベースユニットを前記患者に接着させる第１のベースユニットと、
第２のポートを有する第２のベースユニットであって、前記第２のベースユニットを前記患者に接着させる第２の接着部を有する第２のベースユニットと、
前記第１のポートを介して前記第１のベースユニットと可逆的に接続する第１のコネクタであって第１の薬剤リザーバから前記第１のベースの前記第１のポートに至る第１の流路を提供する第１のコネクタと、前記第２のベースユニットと可逆的に接続する第２のコネクタとを有するコネクタセットと、
を有し、
前記第１のベースユニットは、前記第２のコネクタが前記第１のベースユニットに接続することを防止する第１のガイド部を有し、
前記第２のベースユニットは、前記第１のコネクタが前記第２のベースユニットに接続することを防止する第２のガイド部を有し、
前記第１のベースユニットおよび前記第２のベースユニットは、互いに独立して移動可能であり、前記患者によって移動されて前記患者の身体の輪郭に当接する
ことを特徴とする注入セット。
【請求項２】
前記第２のベースユニットは、第２の薬剤を前記患者に送達する第２の穿刺要素を有し、前記第２のコネクタは、第２の薬剤リザーバから前記第２のベースの前記第２のポートに至る第２の流路を提供する、ことを特徴とする請求項１に記載の注入セット。
【請求項３】
前記第１のコネクタは、前記第１のベースユニットとの接続位置において前記第１のコネクタをロックする第１の保持クリップを有する、ことを特徴とする請求項１に記載の注入セット。
【請求項４】
前記第１の保持クリップは、使用者が前記第１の保持クリップを押下することで前記第１のコネクタと前記第１のベースユニットとの接続を片手で解除できるように構成される
、ことを特徴とする請求項３に記載の注入セット。
【請求項５】
前記第１のコネクタは、前記第１のコネクタを前記第１のベースユニットとの接続位置にガイドするアライメント要素を有する、ことを特徴とする請求項１に記載の注入セット。
【請求項６】
単一薬剤または多薬剤を患者に送達する薬剤リザーバセットであって、
第１の隔壁とともに第１のリザーバカバーを有する第１のリザーバと係合する第１の注入コネクタであって、前記第１のリザーバは第１のリザーバポートを有し第１の薬剤を有し、前記第１の注入コネクタは前記第１のリザーバの少なくとも一部および前記第１のリザーバポートの少なくとも一部と重なり、前記第１の薬剤に接触可能な第１の針を有し、前記第１のリザーバの一部と係合して前記第１の注入コネクタを前記第１のリザーバに取り付ける第１の係合部を有する第１の注入コネクタと、
第２の隔壁とともに第２のリザーバカバーを有する第２のリザーバと係合する第２の注入コネクタであって、前記第２のリザーバは第２のリザーバポートを有し第２の薬剤を有し、前記第２の注入コネクタは前記第２のリザーバの少なくとも一部および前記第２のポートの少なくとも一部と重なり、第２の薬剤に接触可能な第２の針を有し、前記第２のリザーバの一部と係合して前記第２の注入コネクタを前記第２のリザーバに取り付ける第２の係合部を有する第２の注入コネクタと、
を有し、
前記第１の注入コネクタの機械的特徴は、前記第２のリザーバおよび前記第２のリザーバカバーと前記第１の注入コネクタとが係合することを防止し、前記第１の針が前記第２の隔壁を穿刺することを防止するように構成されている
ことを特徴とする薬剤リザーバセット。
【請求項７】
前記第１の注入コネクタは第１のガイド要素を有し、
前記第２の注入コネクタは第２のガイド要素をさらに有し、
前記第１のガイド要素によって、前記第１のガイド要素と接続する第１の開口を有する第１のポンプ容器に、前記第１の薬剤リザーバが案内され、
前記第２のガイド要素によって、前記第２のガイド要素と接続する第２の開口を有する第２のポンプ容器に、前記第２の薬剤リザーバが案内され、
前記第１のガイド要素は、前記第１の薬剤リザーバが前記第２のポンプ容器に配置されることを防止する
ことを特徴とする請求項６に記載の薬剤リザーバセット。
【請求項８】
前記第２のガイド要素は、前記第２の薬剤リザーバが前記第２のポンプ容器に配置されることを防止する、ことを特徴とする請求項７に記載の薬剤リザーバセット。
【請求項９】
単一薬剤または多薬剤を患者に送達する薬剤送達システムであって、
注入セットを有し、
前記注入セットは、
ベースセットを有し、
前記ベースセットは、
第１のベースユニットであって、第１の薬剤を前記患者に送達する第１のベースセット穿刺要素と、第１のポートと、前記第１のベースユニットを前記患者に接着させる第１の接着部とを有する第１のベースユニットと、
第２のベースユニットであって、前記第２のベースユニットを前記患者に接着させる第２の接着部を有する第２のベースセットと、
前記第１のベースユニットに可逆的に接続し、第１の薬剤リザーバから前記第１のベースの前記第１のポートに至る第１の流路を提供する第１のコネクタと、前記第２のベ
ースユニットに可逆的に接続する第２のコネクタとを有するコネクタセットと
を有し、
前記第１のベースユニットは、前記第２のコネクタが前記第１のベースユニットに接続することを防止する要素を有し、
前記第２のベースユニットは、前記第１のコネクタが前記第２のベースユニットに接続することを防止する要素を有し、
前記薬剤送達システムは、第１のリザーバと第１の流体管を有する薬剤セットであって、前記第１のリザーバが、第１のリザーバポートを介して接触可能な第１の薬剤を有し、前記第１の流体管が、前記第１のリザーバと前記第１のベースセット穿刺要素との間の流体連通を提供する薬剤セットを有し、
前記薬剤送達システムは、ポンプシステムを有する
ことを特徴とする薬剤送達システム。
【請求項１０】
前記薬剤セットは、第１の注入コネクタを有し、前記第１の注入コネクタは前記第１のリザーバと接続する、ことを特徴とする請求項９に記載の薬剤送達システム。
【請求項１１】
前記第２のベースユニットは、第２のベースユニット穿刺要素および第２のポートを有し、前記第２の穿刺要素は前記患者に第２の薬剤を送達し、前記第２のコネクタは、第２の薬剤リザーバから前記第２のベースユニットの前記第２のポートに至る第２の流路を提供する、ことを特徴とする請求項１０に記載の薬剤送達システム。
【請求項１２】
前記薬剤セットは、
第１の注入コネクタであって、前記第１の注入コネクタは前記第１のリザーバと接続する第１の注入コネクタと、
第２の注入コネクタであって、前記第２の注入コネクタは前記第２のリザーバと接続する第２の注入コネクタと
を有し、
前記第２の注入コネクタは、前記第１のリザーバと接続しないように構成され、前記第１の注入コネクタは前記第２のリザーバと接続しないように構成される
ことを特徴とする請求項１１に記載の薬剤送達システム。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
換気支援システムであって、
換気支援装置と、
前記換気支援装置と動作可能に結合されるコントローラと、
前記コントローラにより実行可能な命令を記憶するメモリとを有し、前記コントローラが、
１つ又は複数の標的受容器が前記換気支援システムに接続される患者における自己調節応答を開始するよう選択される治療操作を実行するよう、前記換気支援装置を作動させ、
バイタルサインセンサから受信される１つ又は複数の信号に基づき、前記患者における自己調節応答の開始により引き起こされる１つ又は複数のバイタルサインにおける１つ又は複数の変化を決定し、
前記測定された１つ又は複数の変化に基づき、前記患者の心臓、心肺又は血行動態のフェノタイプを生成し、
前記フェノタイプに基づき、換気支援装置を作動させる、換気支援システム。
【請求項２】
前記１つ又は複数のバイタルサインが血圧を有する、請求項１に記載の換気支援システム。
【請求項３】
前記コントローラが更に、適用される治療パラメータを一連の離散的なステップにおいて変更するよう換気支援装置を作動させ、一連の離散的ステップのそれぞれにより引き起こされる血圧における１つ又は複数の変化を測定する、請求項２に記載の換気支援システム。
【請求項４】
前記コントローラが更に、前記換気支援装置を作動させ、連続的な気道陽圧力を段階的に増加又は減少させる、請求項３に記載の換気支援システム。
【請求項５】
前記コントローラが更に、前記換気支援装置を作動させ、正又は負の気道圧を活性化又は不活性化する、請求項３に記載の換気支援システム。
【請求項６】
前記コントローラが更に、前記換気支援装置を作動させ、前記患者に供給される空気の１つ又は複数の成分の濃度を段階的に増加又は減少させる、請求項３に記載の換気支援システム。
【請求項７】
前記コントローラが更に、
所定の態様において複数の身体位置の間で患者を再配置するよう医療従事者を促す出力を提供し、
患者の再配置により引き起こされる、血圧における１つ又は複数の変化を測定する、又は血圧における１つ又は複数の変化の１つ又は複数の徴候を受信する、請求項１に記載の換気支援システム。
【請求項８】
前記１つ又は複数の標的受容器が、１つ又は複数の化学受容器を有し、前記治療操作を実行するよう前記換気支援システムを作動させることは、前記換気支援システムを作動させ、前記患者の血液の化学組成を変更することを有する、請求項１に記載の換気支援システム。
【請求項９】
前記１つ又は複数の標的受容器が、１つ又は複数の圧受容器を有し、前記治療操作を実行するよう前記換気支援システムを作動させることは、前記換気支援システムを作動させ、前記患者の血管又は気道の圧力を変更することを有する、請求項７に記載の換気支援システム。
【請求項１０】
患者に接続される換気支援装置と通信可能に連結されるコントローラにより、１つ又は複数の標的受容器が前記患者における自己調節応答を開始するよう選択される治療操作を実行するよう、前記換気支援装置を作動させるステップと、
前記コントローラにより、前記患者における自己調節応答の開始により引き起こされる血圧における１つ又は複数の変化を測定するステップと、
前記コントローラにより、前記測定された１つ又は複数の変化に基づき、前記患者の心臓、心肺又は血行動態のフェノタイプを生成するステップとを有する、方法。
【請求項１１】
前記治療操作を実行するよう換気支援装置を作動させるステップが、適用される治療パラメータを一連の離散的なステップにおいて変更するよう前記換気支援装置を作動させるステップを有し、
前記血圧における１つ又は複数の変化を測定するステップは、一連の離散的ステップのそれぞれにより引き起こされる前記血圧における１つ又は複数の変化を測定するステップを有する、請求項１０に記載の方法。
【請求項１２】
前記一連の離散的なステップにおいて前記適用される治療パラメータを変更するよう前記換気支援装置を作動させるステップが、連続的な気道陽圧を段階的に増加又は減少させるよう前記換気支援装置を作動させるステップを有する、請求項１１に記載の方法。
【請求項１３】
前記一連の離散的なステップで前記適用される治療パラメータを変更するよう前記換気支援装置を作動させるステップが、気道陽圧を活性化又は不活性化するよう前記換気支援装置を作動させるステップを有する、請求項１１に記載の方法。
【請求項１４】
前記一連の離散的なステップで前記適用される治療パラメータを変更するよう前記換気支援装置を作動させるステップが、気道陰圧を活性化又は不活性化するよう前記換気支援装置を作動させるステップを有する、請求項１１に記載の方法。
【請求項１５】
前記一連の離散的なステップで前記適用される治療パラメータを変更するよう前記換気支援装置を作動させるステップが、前記患者に供給される空気の１つ又は複数の成分の濃度を段階的に増加又は減少させるよう前記換気支援装置を作動させるステップを有する、請求項１１に記載の方法。
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
患者の少なくとも1つの骨盤神経の求心性線維の神経活動を調節するための装置であって、該装置が、以下：
第1信号を前記患者の少なくとも1つの骨盤神経に印加するように構成される第1アクチュエータ；及び
第1アクチュエータに連結されたコントローラであって、該コントローラが、該アクチュエータにより印加される信号を、該信号が該神経の求心性線維の神経活動を調節して該患者において生理学的応答を生じさせるように制御する、前記コントローラ
を含む、前記装置。
【請求項２】
前記装置が、前記コントローラに連結され、前記患者の陰部神経に第2信号を印加するように構成される第2アクチュエータを含み、該コントローラが、第2アクチュエータにより印加される信号を、該信号が陰部神経の神経活動を調節して患者において生理学的応答を生じさせるように制御する、請求項１に記載の装置。
【請求項３】
各信号が、電気信号、光信号、超音波信号及び熱信号から独立して選択される、請求項１又は請求項２に記載の装置。
【請求項４】
第1信号及び/又は第2信号が電気信号であり、前記電気信号を印加するように構成される1つ以上のアクチュエータが電極である、請求項３に記載の装置。
【請求項５】
第1信号及び/又は第2信号が交流(AC)波形を含む、請求項４に記載の装置。
【請求項６】
第1信号が、サブキロヘルツの周波数のAC波形を含む、請求項４又は請求項５に記載の装置。
【請求項７】
第1信号が、0.5〜20Hzの周波数を有するAC波形を含む、請求項６に記載の装置。
【請求項８】
第2信号が、サブキロヘルツの周波数のAC波形を含む、請求項２〜７のいずれか1項に記載の装置。
【請求項９】
第2信号が、0.5〜20Hzの周波数を有するAC波形を含む、請求項８に記載の装置。
【請求項１０】
第1信号及び/又は第2信号が、0.1T〜5.0Tの信号強度を有する、請求項４〜９のいずれか1項に記載の装置。
【請求項１１】
生理学的応答が、以下：失禁エピソード数の低下、失禁エピソード(1回又は複数回)の長さ及び/又は重篤度の低下、尿意切迫の減少、排尿回数の減少、膀胱容量の増加、膀胱排尿効率の増加、尿閉の減少、及び/又は外尿道括約筋(EUS)活動の健常な個体のEUS活動への変化の1つ以上である、請求項１〜１０のいずれか1項に記載の装置。
【請求項１２】
装置が、患者において1つ以上の生理学的パラメータを検出するための検出素子をさらに含む、請求項１〜１１のいずれか1項に記載の装置。
【請求項１３】
コントローラが前記検出素子に連結されており、前記生理学的パラメータが所定の閾値に合致又は超過すると検出された場合に、印加される第1信号及び/又は第2信号を生じさせる、請求項１２に記載の装置。
【請求項１４】
前記検出される生理学的パラメータの1つ以上が、交感神経系の緊張、副交感神経系の緊張、膀胱圧、膀胱容量、外尿道括約筋活動、及び前記パラメータのいずれか1つの変化率から選択される、請求項１２又は１３に記載の装置。
【請求項１５】
前記1つ以上の検出される生理学的パラメータが、患者の神経における活動電位又は活動電位のパターンを含み、ここで該活動電位又は活動電位のパターンは膀胱機能障害に関連している、請求項１２〜１４のいずれか1項に記載の装置。
【請求項１６】
前記活動電位又は活動電位のパターンが、骨盤神経、陰部神経又は下腹神経中のものである、請求項１５に記載の装置。
【請求項１７】
前記第1信号の印加が、骨盤神経の少なくとも一部における神経活動を増加させる、請求項１〜１６のいずれか1項に記載の装置。
【請求項１８】
前記第2信号の印加が、陰部神経の少なくとも一部における神経活動を増加させる、請求項２〜１７のいずれか1項に記載の装置。
【請求項１９】
前記第2信号の印加が、陰部神経の少なくとも一部における神経活動を阻害する、請求項２〜１７のいずれか1項に記載の装置。
【請求項２０】
前記1つ以上のアクチュエータが信号を印加する結果としての神経活動の調節が実質的に持続的である、請求項１〜１９のいずれか1項に記載の装置。
【請求項２１】
前記神経活動の調節が一時的である、請求項１〜１９のいずれか1項に記載の装置。
【請求項２２】
前記神経活動の調節が補正的である、請求項１〜１９のいずれか1項に記載の装置。
【請求項２３】
装置が、患者への少なくとも部分的な埋め込みに適している、請求項１〜２２のいずれか1項に記載の装置。
【請求項２４】
患者における膀胱機能障害の治療において使用するための神経調節電気波形であって、該波形は、患者の骨盤神経に印加された場合に、該波形が、信号が印加される骨盤神経における神経信号伝達を増加させるような、0.5〜20Hzの周波数、及び0.1T〜5.0Tの強度を有するAC波形である、前記神経調節電気波形。
【請求項２５】
被験体における膀胱機能障害の治療において使用するための、膀胱機能障害を治療するための化合物を含む医薬組成物であって、該被験体が、埋め込まれた請求項１〜２３のいずれか1項に記載の装置を有する、前記医薬組成物。
【請求項２６】
請求項２５に記載の使用のための医薬組成物であって、前記膀胱機能障害を治療するための化合物が、抗ムスカリン化合物又はβ-アドレナリン受容体アゴニストである、前記医薬組成物。
【請求項２７】
請求項２５又は２６に記載の使用のための医薬組成物であって、前記膀胱機能障害を治療するための化合物が、ダリフェナシン、ヒヨスチアミン、オキシブチニン、トルテロジン、ソリフェナシン、トロスピウム又はフェソテロジンから選択される抗ムスカリン化合物である、前記医薬組成物。
【請求項２８】
請求項２５又は２６に記載の使用のための医薬組成物であって、前記膀胱機能障害を治療するための化合物が、β3-アドレナリン受容体アゴニストである、前記医薬組成物。
【請求項２９】
請求項１〜２３のいずれか1項に記載の複数の装置を含む、神経調節システム。
【請求項３０】
各装置が、システム中の少なくとも1つの他の装置と通信するように配置されている、請求項２９に記載の神経調節システム。
【請求項３１】
前記システムの装置と通信するように配置されたプロセッサをさらに含む、請求項２９又は３０に記載の神経調節システム。
【請求項３２】
前記患者が、哺乳動物患者である、請求項１〜２３のいずれかに記載の装置。
【請求項３３】
前記患者が、哺乳動物患者である、請求項２４に記載の神経調節電気波形。
【請求項３４】
前記患者が、哺乳動物患者である、請求項２５〜２８のいずれかに記載の医薬組成物。
【請求項３５】
前記患者が、哺乳動物患者である、請求項２９〜３１のいずれかに記載の神経調節システム。
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
免疫グロブリン重鎖遺伝子対立遺伝子排除及び軽鎖遺伝子対立遺伝子排除の少なくとも一方が障害された非ヒト遺伝子改変動物であって、
細胞１つにつき２つ以上の異なる抗原受容体、及び二重特異性抗原受容体の少なくとも一方を共発現する能力を各々が有するＢリンパ球の選択を可能にしており、
前記免疫グロブリン重鎖遺伝子及び軽鎖遺伝子の少なくとも一方の１つ以上の定常領域コード部分の範囲内にあるエクソンが、発生中のＢリンパ球においてＶ（Ｄ）Ｊ再構成及びＶＪ再構成の少なくとも一方に続く対立遺伝子排除が起こらないように変化している、非ヒト遺伝子改変動物。
【請求項２】
前記免疫グロブリン重鎖遺伝子及び軽鎖遺伝子の少なくとも一方の変化が、前記免疫グロブリン重鎖遺伝子及び軽鎖遺伝子の少なくとも一方の１つ以上の定常領域コード部分における１つ以上のエクソンの発現の誘導可能な不活性化及び活性化の少なくとも一方を可能にする、請求項１に記載の非ヒト遺伝子改変動物。
【請求項３】
請求項１に記載の非ヒト遺伝子改変動物の免疫グロブリン重鎖遺伝子であって、
１つ以上の定常領域エクソンの一部又は全てが、同じ免疫グロブリン重鎖遺伝子における再構成したＶ（Ｄ）Ｊ遺伝子セグメントと逆のリーディングフレーム方向に配置されている、免疫グロブリン重鎖遺伝子。
【請求項４】
請求項１に記載の非ヒト遺伝子改変動物の免疫グロブリン重鎖遺伝子であって、
同じ染色体上の再構成したＶ（Ｄ）Ｊ遺伝子セグメントからの定常領域エクソンの発現を阻止するＤＮＡカセットが挿入されている、免疫グロブリン重鎖遺伝子。
【請求項５】
２つの異なる抗原を同時に注入したとき、又は１つの抗原を注入し、続いて第２の異なる抗原を注入したとき、２つ以上の異なる抗原受容体及び二重特異性抗原受容体の少なくとも一方を共発現するか又は連続的に発現する能力を各々が有するＢリンパ球を生成する、請求項１に記載の非ヒト遺伝子改変動物。
【請求項６】
請求項５に記載の非ヒト遺伝子改変動物のＢ細胞であって、
前記２つの抗原受容体のヘテロ二量体化が発生又は分化イベントによって可能になるか、又はそれを誘導することができる、Ｂ細胞。
【請求項７】
前記動物の個々のＢ細胞における２つの再構成した免疫グロブリン重鎖遺伝子が、互いに効率的にホモ二量体化しない遺伝子産物を発現する、請求項１に記載の非ヒト遺伝子改変動物。
【請求項８】
請求項７に記載の非ヒト遺伝子改変動物のＢ細胞であって、
前記２つの異なる重鎖遺伝子産物のホモ二量体化が起こらないか、又はヘテロ二量体化と比べて不利である、Ｂ細胞。
【請求項９】
請求項１に記載の非ヒト遺伝子改変動物の免疫グロブリン軽鎖遺伝子であって、
１つ以上の定常領域エクソンの一部又は全てが、同じ免疫グロブリン軽鎖遺伝子における再構成したＶＪ遺伝子セグメントと逆のリーディングフレーム方向に配置されている、免疫グロブリン軽鎖遺伝子。
【請求項１０】
請求項１に記載の非ヒト遺伝子改変動物の免疫グロブリン軽鎖遺伝子であって、
同じ染色体上の前記再構成したＶＪ遺伝子セグメントからの定常領域エクソンの発現を阻止するＤＮＡカセットが挿入されている、免疫グロブリン軽鎖遺伝子。
【請求項１１】
請求項１に記載の非ヒト遺伝子改変動物の免疫グロブリン軽鎖遺伝子であって、
定常領域エクソンが、同じ細胞における両方でなく片方の重鎖対立遺伝子との会合に適合するように改変される、免疫グロブリン軽鎖遺伝子。
【請求項１２】
請求項１に記載の非ヒト遺伝子改変動物に由来する初代Ｂ細胞、不死化Ｂ細胞、又はハイブリドーマ。
【請求項１３】
前記免疫グロブリン重鎖遺伝子の変化が、重鎖のみからなる二重特異性抗体の産生を可能にする、請求項１に記載の非ヒト遺伝子改変動物。
【請求項１４】
請求項３又は４に記載の免疫グロブリン重鎖遺伝子又は請求項９〜１１のいずれか一項に記載の免疫グロブリン軽鎖遺伝子から転写される部分的又は全体的な免疫グロブリンタンパク質。
【請求項１５】
請求項６、８及び１２のいずれか一項に記載の細胞に由来する部分的又は全体的な免疫グロブリンタンパク質。
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
細胞透過性コンジュゲートであって、
（ｉ）非細胞透過性タンパク質と；
（ｉｉ）ホスホロチオエート核酸と；
（ｉｉｉ）前記ホスホロチオエート核酸を前記非細胞透過性タンパク質に結合している第１のリンカーと；
（ｉｖ）前記ホスホロチオエート核酸を治療部分に結合している第２のリンカーと
を含み、前記ホスホロチオエート核酸は、前記非細胞透過性タンパク質の細胞内送達を増強する、細胞透過性コンジュゲート。
【請求項２】
前記第１のリンカーが、第１のビオチンドメインに非共有結合している第１のビオチン結合ドメインを含む、請求項１に記載の細胞透過性コンジュゲート。
【請求項３】
前記第１のビオチン結合ドメインが、第１のアビジンドメイン又は第１のストレプトアビジンドメインである、請求項２に記載の細胞透過性コンジュゲート。
【請求項４】
前記第１のビオチン結合ドメインが、前記非細胞透過性タンパク質に共有結合している、請求項２に記載の細胞透過性コンジュゲート。
【請求項５】
前記第１のビオチンドメインが、前記ホスホロチオエート核酸に共有結合している、請求項２に記載の細胞透過性コンジュゲート。
【請求項６】
前記第２のリンカーが、共有結合性リンカーである、請求項１に記載の細胞透過性コンジュゲート。
【請求項７】
前記第２のリンカーが、第２のビオチンドメインに非共有結合している第２のビオチン結合ドメインを含む、請求項１に記載の細胞透過性コンジュゲート。
【請求項８】
前記第２のビオチン結合ドメインが、前記治療部分に共有結合している、請求項７に記載の細胞透過性コンジュゲート。
【請求項９】
前記第２のビオチンドメインが、前記ホスホロチオエート核酸に共有結合している、請求項７に記載の細胞透過性コンジュゲート。
【請求項１０】
前記ホスホロチオエート核酸が、一本鎖又は二本鎖ホスホロチオエート核酸である、請求項１に記載の細胞透過性コンジュゲート。
【請求項１１】
前記ホスホロチオエート核酸が、約１０、２０、３０、４０、５０、６０、７０、８０、９０、１００又はそれ以上の長さの核酸残基である、請求項１に記載の細胞透過性コンジュゲート。
【請求項１２】
前記ホスホロチオエート核酸が、約２０の長さの核酸残基である、請求項１に記載の細胞透過性コンジュゲート。
【請求項１３】
前記非細胞透過性タンパク質が、抗体である、請求項１に記載の細胞透過性コンジュゲート。
【請求項１４】
前記非細胞透過性タンパク質が、細胞表面タンパク質に結合する、請求項１に記載の細胞透過性コンジュゲート。
【請求項１５】
前記細胞表面タンパク質が、がんタンパク質である、請求項１４に記載の細胞透過性コンジュゲート。
【請求項１６】
前記細胞表面タンパク質が、前立腺特異性膜抗原（ＰＳＭＡ）又はヒト表皮成長因子受容体２（ＨＥＲ２）である、請求項１４に記載の細胞透過性コンジュゲート。
【請求項１７】
前記治療部分が、ｓｉＲＮＡ、ｓａＲＮＡ、ｓｈＲＮＡ又はｍｉＲＮＡである、請求項１に記載の細胞透過性コンジュゲート。
【請求項１８】
前記治療部分が、抗体又はそのフラグメントである、請求項１に記載の細胞透過性コンジュゲート。
【請求項１９】
前記治療部分が、低分子である、請求項１に記載の細胞透過性コンジュゲート。
【請求項２０】
請求項１に記載の細胞透過性コンジュゲートを含む細胞。
【請求項２１】
請求項１に記載の細胞透過性コンジュゲートと、医薬として許容される担体とを含む医薬組成物。
【請求項２２】
請求項１に記載の細胞透過性コンジュゲートを含む、細胞に治療部分を送達するための医薬組成物。
【請求項２３】
請求項１に記載の有効量の細胞透過性コンジュゲートを含む、疾患の治療を必要とする被験体の疾患を治療するための医薬組成物。
【請求項２４】
前記疾患が、自己免疫疾患、発達障害、炎症性疾患、代謝障害、心血管疾患、肝疾患、腸疾患、感染症、内分泌疾患、神経学的障害及びがんからなる群から選択される、請求項２３に記載の医薬組成物。
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
第1の入力データ要素を記憶するレーンを有する第1のレジスタと、
第2の入力データ要素を記憶するレーンを有する第2のレジスタであって、前記第2のレジスタの前記レーンの幅が前記第1のレジスタの前記レーンの幅に等しく、前記第2の入力データ要素が、前記第1の入力データ要素に対してNだけシフトされるように、前記第1の入力データ要素が入力データストリームのN個のデータ要素を含み、かつ前記第2の入力データ要素が前記入力データストリームの次のN個のデータ要素を含む、第2のレジスタと、
前記第1のレジスタの前記レーンの前記幅に等しいレーン幅Nを有するシングルインストラクションマルチプルデータ(SIMD)レーンであって、前記SIMDレーンが、前記第1のレジスタの前記レーン内の前記第1の入力データ要素および前記第2のレジスタの前記レーン内の前記第2の入力データ要素に対して複数のスライディングウィンドウ演算を実行するように構成され、それぞれのスライディングウィンドウ演算を実行することが、前記第1のレジスタの第1の位置に記憶された第1の入力データ要素および前記第2のレジスタの第1の位置に記憶された第2の入力データ要素から選択された第1の位置入力データ要素、ならびに前記第1のレジスタの第2の位置に記憶された第1の入力データ要素および前記第2のレジスタの第2の位置に記憶された第2の入力データ要素から選択された第2の位置入力データ要素に基づいて結果を決定することを含み、前記第2の位置が前記第1の位置とは異なる、SIMDレーンと
を備える、装置。
【請求項２】
前記SIMDレーンは、命令に基づいて、前記第1のレジスタの前記レーン内の複数のウィンドウ、前記第2のレジスタの前記レーン内の複数のウィンドウ、またはそれらの任意の組合せに対して同時にスライディングウィンドウ演算を実行する、請求項1に記載の装置。
【請求項３】
前記第1のレジスタの前記レーン内の前記複数のウィンドウおよび前記第2のレジスタの前記レーン内の前記複数のウィンドウは、前記命令の命令コードにおける即値フィールドに基づいて選択される、請求項2に記載の装置。
【請求項４】
前記SIMDレーンは、
算術および論理ユニット(ALU)と、
前記第1のレジスタの前記レーン内の第1の位置入力データ要素または前記第2のレジスタの前記レーン内の第1の位置入力データ要素のうちの一方を前記ALUに供給するように構成される、第1のマルチプレクサと、
前記第1のレジスタの前記レーン内の第2の位置入力データ要素または前記第2のレジスタの前記レーン内の第2の位置入力データ要素のうちの一方を前記ALUに供給するように構成される、第2のマルチプレクサと
を備え、
前記ALUは、前記第1のマルチプレクサによって供給されたデータ要素および前記第2のマルチプレクサによって供給されたデータ要素に対して第1の演算を実行するように動作可能である、
請求項1に記載の装置。
【請求項５】
前記第1の演算は、加算演算、ビット単位OR演算、または乗算演算を含む、請求項4に記載の装置。
【請求項６】
前記ALUは、前記第1のマルチプレクサによって供給された前記データ要素および前記第2のマルチプレクサによって供給された前記データ要素に対して第2の演算を実行するように動作可能であり、前記第1の演算は、前記第2の演算の後に実行される、請求項4に記載の装置。
【請求項７】
前記第2の演算は乗算演算を含む、請求項6に記載の装置。
【請求項８】
前記SIMDレーンと第2のSIMDレーンとを含む複数のレーンであって、前記第2のSIMDレーンが、前記第1のレジスタの第2のレーン内に記憶された入力データ要素および前記第2のレジスタの第2のレーン内に記憶された入力データ要素に対して複数のスライディングウィンドウ演算を実行するように構成される、複数のレーンをさらに備える、請求項1に記載の装置。
【請求項９】
前記SIMDレーンによって実行される前記スライディングウィンドウ演算と前記第2のSIMDレーンによって実行される前記スライディングウィンドウ演算は並行して実行される、請求項8に記載の装置。
【請求項１０】
入力データをシフトさせ、シフトされたデータを前記第2のレジスタに供給するように構成される論理シフタ回路をさらに備える、請求項1に記載の装置。
【請求項１１】
第1のレジスタのレーン内に第1の入力データ要素を記憶するステップと、
第2のレジスタのレーン内に第2の入力データ要素を記憶するステップであって、前記第2のレジスタの前記レーンの幅が、前記第1のレジスタの前記レーンの幅に等しく、前記第2の入力データ要素が、前記第1の入力データ要素に対してNだけシフトされるように、前記第1の入力データ要素が入力データストリームのN個のデータ要素を含み、かつ前記第2の入力データ要素が前記入力データストリームの次のN個のデータ要素を含む、ステップと、
前記第1のレジスタの前記レーンの前記幅に等しいレーン幅Nを有するシングルインストラクションマルチプルデータ(SIMD)レーンを使用して、前記第1のレジスタの前記レーン内の前記第1の入力データ要素および前記第2のレジスタの前記レーン内の前記第2の入力データ要素に対してスライディングウィンドウ演算を実行するステップであって、それぞれのスライディングウィンドウ演算を実行するステップが、前記第1のレジスタの第1の位置に記憶された第1の入力データ要素および前記第2のレジスタの第1の位置に記憶された第2の入力データ要素から選択された第1の位置入力データ要素、ならびに前記第1のレジスタの第2の位置に記憶された第1の入力データ要素および前記第2のレジスタの第2の位置に記憶された第2の入力データ要素から選択された第2の位置入力データ要素に基づいて結果を決定するステップを含み、前記第2の位置が前記第1の位置とは異なる、ステップと
を含む、方法。
【請求項１２】
第1のマルチプレクサにおいて、前記第1のレジスタの前記レーン内の第1の位置データ要素または前記第2のレジスタの前記レーン内の第1の位置入力データ要素のうちの一方を算術および論理ユニット(ALU)に供給するステップと、
第2のマルチプレクサにおいて、前記第1のレジスタの前記レーン内の第2の位置データ要素または前記第2のレジスタの前記レーン内の第2の位置入力データ要素のうちの一方を前記ALUに供給するステップと、
前記ALUにおいて、前記第1のマルチプレクサによって供給されたデータ要素および前記第2のマルチプレクサによって供給されたデータ要素に対して第1の演算を実行するステップと
をさらに含む、請求項11に記載の方法。
【請求項１３】
前記第1の演算は、加算演算、ビット単位OR演算、または乗算演算を含む、請求項12に記載の方法。
【請求項１４】
前記第1のマルチプレクサによって供給された前記データ要素および前記第2のマルチプレクサによって供給された前記データ要素に対して第2の演算を実行するステップであって、前記第1の演算は、前記第2の演算の後に実行される、ステップをさらに含む、請求項13に記載の方法。
【請求項１５】
前記第2の演算は乗算演算を含む、請求項14に記載の方法。
【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
キャリアボード、及び
前記キャリアボードに設けられた照明要素のアレイ、
を有する照明デバイスであって、
前記キャリアボードは、該キャリアボードが、１つ以上の同一形状又は類似形状の他のキャリアボードと、巻線が互いに交互配置されるようにテセレーションされることができるような、少なくとも２つの収束巻線を備えるコイル形状を持ち、
前記巻線は、複数の直線状セクションを有し、コイルに沿った隣接する前記セクション間の角度は９０°であり、隣接する巻線間の垂直方向の間隔は一定であり、
前記直線状セクションは、狭い幅と広い幅とで変化する幅を持ち、前記照明要素は、広い幅を持つ部分に位置し、前記照明要素のアレイは、正方形又は長方形グリッドを形成し、
前記狭い幅の部分は、へこみにより形成され、交互直線状セクションの一方の組についての前記へこみは、内側縁にあり、交互直線状セクションの他方の組についての前記へこみは、外側縁にある、照明デバイス。
【請求項２】
前記キャリアボードは、前記巻線が互いに交互配置されるように３つの同一又は類似の他のキャリアボードとテセレーションされ得る、請求項１に記載の照明デバイス。
【請求項３】
電気コネクタが、コイル形状の最外端又はコイル形状に沿った中間位置に設けられる、請求項１又は２に記載の照明デバイス。
【請求項４】
照明デバイスを製造する方法であって、
キャリアボード上に照明要素のアレイを形成するステップ、
前記キャリアボードを少なくとも２つの同一形状又は類似形状のセクションに分割するステップであって、各セクションの前記照明要素のアレイは、正方形又は長方形グリッドを形成する、ステップ、
を有する方法であり、
各セクションは、複数の収束巻線を備えるコイル形状を持ち、前記巻線は、前記分割前に互いに交互配置されていて、
前記巻線は、複数の直線状セクションを有し、コイルに沿った隣接する前記セクション間の角度は９０°であり、隣接する巻線間の垂直方向の間隔は一定であり、
前記直線状セクションは、狭い幅と広い幅とで変化する幅を持ち、前記照明要素は、広い幅を持つ部分に位置し、
前記狭い幅の部分は、へこみにより形成され、交互直線状セクションの一方の組についての前記へこみは、内側縁にあり、交互直線状セクションの他方の組についての前記へこみは、外側縁にある、方法。
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
リチウム−酸素電池を放電及び／又は充電する方法であって、
（ｉ）放電ステップ中に、リチウム−酸素電池の作用電極上又は作用電極内に放電生成物を生成するステップであって、前記放電生成物中のＬｉＯＨ量はＬｉ２Ｏ２量よりも多い、ステップ；及び／又は
（ｉｉ）充電ステップ中に、リチウム−酸素電池の作用電極上又は作用電極内でＬｉＯＨを消費し、それにより、場合により水とともに酸素を生成するステップであって、充電ステップ中に消費されるＬｉＯＨ量は消費されるＬｉ２Ｏ２量よりも多い、ステップ
を含み、
前記リチウム−酸素電池は、有機溶媒を含む電解質を有し、充電ステップ後の前記電解質の含水量は０．０１重量％以上最大２５重量％、例えば最大２０重量％、例えば最大１５重量％、例えば最大１０重量％、例えば最大５重量％である、方法。
【請求項２】
放電及び充電サイクルにおいてステップ（ｉ）及びステップ（ｉｉ）を含む、請求項１に記載の方法。
【請求項３】
２サイクル以上、５サイクル以上、１０サイクル以上、５０サイクル以上、１００サイクル以上、５００サイクル以上、１，０００サイクル以上、又は２，０００サイクル以上を含む、請求項２に記載の方法。
【請求項４】
ＬｉＯＨは、放電ステップにおける主な放電生成物である、請求項１から３の何れか１項に記載の方法。
【請求項５】
前記放電生成物はＬｉ２Ｏ２を実質的に含まない、請求項１から４の何れか１項に記載の方法。
【請求項６】
ＬｉＯＨは、充電ステップにおける主な酸素源である、請求項１から５の何れか１項に記載の方法。
【請求項７】
ＬｉＯＨは充電ステップにおいてリチウム−酸素電池で消費され、それにより水とともに酸素を生成する、請求項１から６の何れか１項に記載の方法。
【請求項８】
（ｉ）前記放電及び／又は充電ステップにおけるサイクルレートは、０．５から１０Ａ／ｇ、例えば１から５Ａ／ｇ、例えば１から２Ａ／ｇの範囲であり、及び／又は
（ｉｉ）前記リチウム−酸素電池の作用電極の最大容量は、１，０００から２５，０００ｍＡｈ／ｇ、例えば１，０００から１０，０００ｍＡｈ／ｇの範囲であり、及び／又は
（ｉｉｉ）ステップ（ｉ）における充電電圧は、最大３．５Ｖ、例えば最大３．０Ｖ、例えば１００ｍＡｈ／ｇの電極容量で測定された充電電圧であり、及び／又は
（ｉｖ）充電電圧と放電電圧との差は、０．４Ｖ以下、例えば０．２Ｖ以下、例えば１００ｍＡｈ／ｇの電極容量で測定された充電電圧及び放電電圧である、請求項１から７の何れか１項に記載の方法。
【請求項９】
前記リチウム−酸素電池は電解質を有し、
（ｉ）充電ステップ後の前記電解質の含水量は０．０１重量％以上であり、例えば、充電ステップ後の前記電解質の含水量は０．５重量％以上、例えば１．０重量％以上であり、及び／又は
（ｉｉ）前記電解質はレドックスメディエーターを含み、例えば、前記メディエーターはヨウ化物系メディエーター、例えばＩ−／Ｉ３−対を有するヨウ化物系メディエーターである、請求項１から８の何れか１項に記載の方法。
【請求項１０】
前記電解質は、
（ｉ）ポリアルキレングリコールジアルキルエーテル溶媒を含み、例えば、前記電解質は、モノグライム（ＤＭＥ）、ジグライム、トリグライム又はテトラグライム（ＴＥＧＤＭＥ）溶媒、例えばＤＭＥを含み、及び／又は
（ｉｉ）ＬｉＴＦＳＩの形態のリチウムイオンを含む、請求項１から９の何れか１項に記載の方法。
【請求項１１】
前記リチウム−酸素電池は、多孔質作用電極、例えば多孔質炭素作用電極を有する、請求項１から１０の何れか１項に記載の方法。
【請求項１２】
前記多孔質作用電極は、
（ｉ）マクロポーラス作用電極、例えばマクロポーラス炭素作用電極、例えばＮ２吸着等温分析によって決定された空隙率及び細孔容積など、例えば少なくとも５０ｍ２／ｇの空隙率及び／又は少なくとも０．１ｃｍ３／ｇの細孔容積を有する電極であるか、又は
（ｉｉ）ｒＧＯ（還元グラフェン酸化物）、ＴｉＣ（チタンカーバイド）及びＳＰ（Ｓｕｐｅｒ  Ｐカーボンブラック）作用電極から選択され、例えばｒＧＯ電極である、請求項１１に記載の方法。
【請求項１３】
リチウム放電生成物を含む作用電極を有する放電されたリチウム−酸素電池であって、前記リチウム放電生成物中のＬｉＯＨ量はＬｉ２Ｏ２量よりも多く、好ましくは、前記リチウム放電生成物はＬｉ２Ｏ２を実質的に含まず、
前記リチウム−酸素電池は、有機溶媒を含む電解質を有し、前記電解質の含水量は０．０１重量％以上最大２５重量％、例えば最大２０重量％、例えば最大１５重量％、例えば最大１０重量％、例えば最大５重量％である、放電されたリチウム−酸素電池。
【請求項１４】
有機溶媒を含む電解質を有する充電されたリチウム−酸素電池であって、前記電解質の含水量は０．０１重量％以上最大２５重量％、例えば最大２０重量％、例えば最大１５重量％、例えば最大１０重量％、例えば最大５重量％である、充電されたリチウム−酸素電池。
【請求項１５】
前記電解質は、
（ｉ）メディエーターを含み、例えば、前記メディエーターはヨウ化物系メディエーター、例えばＩ−／Ｉ３−対を有するヨウ化物系メディエーターであり、及び／又は
（ｉｉ）ポリアルキレングリコールジアルキルエーテル溶媒を含み、例えば、前記電解質は、モノグライム（ＤＭＥ）、ジグライム、トリグライム又はテトラグライム（ＴＥＧＤＭＥ）溶媒、例えばＤＭＥを含む、請求項１４に記載の充電されたリチウム−酸素電池。
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
位置フィルタリングのための処理システムであって、
複数のセンサ電極に結合されるように構成されたセンサ回路を含むセンサモジュールと、
決定モジュールと、を備え、
前記センサモジュールは、前記複数のセンサ電極の少なくとも一部分によってトランスミッタ信号を送信し結果信号を受信するように構成され、
前記決定モジュールは、
前記結果信号に基づいて検出領域内の入力オブジェクトに関する第１の位置情報を決定し、
前記第１の位置情報から第２の位置情報を決定し、
前記第２の位置情報を報告し、
前記第１の位置情報は、先行フレームからの前記入力オブジェクトの検出変位を含み、
前記第２の位置情報は、前記検出変位に補正係数を適用することによって決定された修正変位を含み、
前記補正係数は、前記検出領域内で検出される前記入力オブジェクトのフレーム数、ノイズスケール及び指スケールに基づく、処理システム。
【請求項２】
前記入力オブジェクトが前記検出領域から出た後、前記補正係数はリセットする、請求項１に記載の処理システム。
【請求項３】
前記補正係数が、前記フレーム数にわたって減少し、前記入力オブジェクトが、前記フレーム数にわたって前記検出領域内に存在するように連続的に検出される、請求項１又は２に記載の処理システム。
【請求項４】
前記検出変位がしきい値より大きいとき、前記補正係数は１である、請求項１乃至３のいずれか一項に記載の処理システム。
【請求項５】
前記第２の位置情報を決定することは、
前記フレーム数に基づいて変位報告関数を決定することと、
前記決定された変位報告関数を使用して、前記検出変位に基づいて前記補正係数を決定することと、
前記検出変位に前記補正係数を適用して前記修正変位を取得することと、を含む、請求項１乃至４のいずれか一項に記載の処理システム。
【請求項６】
前記変位報告関数は、区分的関数である、請求項５に記載の処理システム。
【請求項７】
前記検出変位が前記ノイズスケールより小さいとき、前記変位報告関数を決定することが、前記フレーム数にかかわらず同じ補正係数を作成する、請求項５又は６に記載の処理システム。
【請求項８】
前記検出変位が前記ノイズスケールより小さいとき、前記変位報告関数を決定することが、前記フレーム数による不均一補正係数を作成する、請求項５又は６に記載の処理システム。
【請求項９】
前記フレーム数に基づいて前記変位報告関数を決定することが、
前記フレーム数がしきい値数より小さいとき、前記決定された変位報告関数として初期変位報告関数を選択することを含む、請求項５乃至８のいずれか一項に記載の処理システム。
【請求項１０】
ベースライン管理方法であって、
結果信号に基づいて検出領域内の入力オブジェクトに関する第１の位置情報を決定するステップと、
前記第１の位置情報から第２の位置情報を決定するステップと、
前記第２の位置情報を報告するステップと、を備え、
前記第１の位置情報は、先行フレームからの前記入力オブジェクトの検出変位を含み、
前記第２の位置情報は、前記検出変位に補正係数を適用することによって決定された修正変位を含み、
前記補正係数は、前記検出領域内で検出される前記入力オブジェクトのフレーム数、ノイズスケール及び指スケールに基づく、方法。
【請求項１１】
検出信号を生成するように構成された複数のセンサ電極と、
前記複数のセンサ電極に接続される処理システムと、を備え、
前記処理システムは、
前記検出信号に基づいて検出領域内の入力オブジェクトに関する第１の位置情報を決定し、
前記第１の位置情報から第２の位置情報を決定し、
前記第２の位置情報を報告し、
前記第１の位置情報は、先行フレームからの前記入力オブジェクトの検出変位を含み、
前記第２の位置情報は、前記検出変位に補正係数を適用することによって決定された修正変位を含み、
前記補正係数は、前記検出領域内で検出される前記入力オブジェクトのフレーム数、ノイズスケール及び指スケールに基づく、入力装置。
【請求項１２】
前記第２の位置情報を決定することが、
前記フレーム数に基づいて変位報告関数を決定することと、
前記決定された変位報告関数を使用して、前記検出変位に基づいて前記補正係数を決定することと、
前記検出変位に前記補正係数を適用して前記修正変位を取得することと、を含む、請求項１１に記載の入力装置。